(57)【要約】【課題】  光配線盤の内側に上下複数段配列される光線路器具において、それぞれのシャーシに大きな余長収容スペースを確保し、光配線盤を小型かつ簡単に構成する。【解決手段】  光線路器具３は箱形のシャーシ１１を備える。シャーシ１１の前面にアダプタ１６を配設し、シャーシ１１の内側に光ケーブルの余長を収容する余長収容室１８を形成する。シャーシ１１の上面に天板２２を設け、天板２２の前端に規制壁２３を立設する。規制壁２３より後側の天板２２上に光ケーブルの別の余長１５ｂを収容する余長収納部２４を設ける。天板２２のバンド挿通孔に結束バンド２６を通し、余長収納部２４の光コードを保持する。【選択図】        図４
2008197596.tif 000002
【特許請求の範囲】
【請求項１】
光配線盤の内側に上下複数段配列される光線路器具において、光配線盤に取り付けられる箱形のシャーシを備え、シャーシの前面に光コードを接続する複数のアダプタを配設し、シャーシの内側に光コードの余長を収容する余長収容室を形成し、シャーシの上面に余長収容室を覆う天板を設け、天板の前端部に規制壁を立設し、規制壁より後側の天板上に光コードの余長を収納する余長収納部を設けたことを特徴とする光線路器具。
【請求項２】
前記天板に余長収納部の光コードを係止する係止部を設けたことを特徴とする請求項１記載の光線路器具。
【発明の詳細な説明】
【技術分野】
【０００１】
本発明は、光配線盤の内側に上下複数段配列される光線路器具に関し、特に、箱形シャーシ上に光コードの余長を収納するための構成に関する。
【背景技術】
【０００２】
従来、光コードの余長を光線路器具の側方で処理する光配線盤が知られている。例えば、特許文献１に記載された光配線盤５０は、図６に平面形態を示すように、ラック５１の内側に、光線路器具５２を設置するスペース５３と、光コード５４を配線するスペース５５とを備えている。光線路器具５２は箱形のシャーシ５６の前面に複数のアダプタ５７を装備し、アダプタ５７の前方にダクト５８が設けられている。
【０００３】
シャーシ５６の側面にはステージ５９が配線スペース５５側へ突設され、ステージ５９より高い位置のラック５１に掛止部材６０が取り付けられている。そして、配線スペース５５において、光コード５４の余長５４ａを掛止部材６０に引っ掛けてステージ５９側へ湾曲させ、ステージ５９からダクト５８に引き回し、光コード５４のコネクタ（図示略）をアダプタ５７に接続するようになっている。
【特許文献１】特開２００３−２２２７３１号公報
【発明の開示】
【発明が解決しようとする課題】
【０００４】
ところが、従来の光配線盤５０によると、光線路器具５２の余長収容スペースがシャーシ５６の内部に限られているため、光線路器具５２の側方に大きな配線スペース５５を確保する必要があり、光配線盤５０が大型化する問題点があった。また、限られた大きさのラック５１に大きな配線スペース５５を設けると、シャーシ５６の容積が相対的に小さくなるため、別途の棚板や容器をラック５１内に追加する必要があり、光配線盤５０の部品点数が増えるという問題点もあった。
【０００５】
本発明の目的は、上記課題を解決し、シャーシの余長収容スペースを拡張し、光配線盤を小型かつ簡単に構成できる光線路器具を提供することにある。
【課題を解決するための手段】
【０００６】
上記の課題を解決するために、本発明は、光配線盤の内側に上下複数段配列される光線路器具において、光配線盤に取り付けられる箱形のシャーシを備え、シャーシの前面に光コードを接続する複数のアダプタを配設し、シャーシの内側に光コードの余長を収容する余長収容室を形成し、シャーシの上面に余長収容室を覆う天板を設け、天板の前端部に規制壁を立設し、規制壁より後側の天板上に光コードの余長を収納する余長収納部を設けたことを特徴とする。
【０００７】
また、本発明の光線路器具は、余長収納部に収納された光コードを係止する係止部をシャーシの天板に設けたことを特徴とする。係止部としては、例えば、複数本の光コードを結束するためのバンドが挿通される孔やスリット、または、複数本の光コードをまとめて拘束する切起しや突起、その他テープ、クリップ、クランプなどを使用でき、これらの係止部を天板の適宜箇所に形成または付設することができる。
【発明の効果】
【０００８】
本発明の光線路器具は、シャーシ内側の余長収容室に加え、天板上に別の余長収納部を備えている。このため、限られた容積のシャーシに全体として大きな余長収容スペースを確保できる。従って、光線路器具側方の配線スペースを相対的に小さくし、光配線盤を小型に構成できるとともに、別途の余長収容部材を不要にし、光配線盤を少ない部品で簡単に構成できるという効果がある。
【発明を実施するための最良の形態】
【０００９】
以下、本発明の実施形態を図面に基づいて説明する。図１は光配線盤のラックから扉を取り外して光線路器具の全体的な配列形態を示す。図２は図１の光配線盤の上端部を拡大して光線路器具の部分的な配列形態を示す。図３は図２のＡ−Ａ線に沿って光線路器具の設置形態を示す。図４は図２のＢ−Ｂ線に沿って光線路器具の余長収容スペースを示す。図５は図２のＣ−Ｃ線に沿って光線路器具の平面的な構成を示す。
【００１０】
図１に示すように、この光配線盤１は縦長のラック２とその前面を開閉する扉（図示略）を備え、ラック２の内側上部に光線路器具３が上下方向に複数段配列されている。光線路器具３の左右両側には配線スペース４がマウントアングル５により区画され、両方のスペース４に複数の掛止部材６が上下に配列されている。光線路器具３の下側には融着トレイ７、テンションメンバ押え８、ケーブルクランプ９が配設され、ラック２の下端部から導入した光ケーブル（図示略）がクランプ９に保持され、光ケーブルから取り出した光コード１５（図５参照）が掛止部材６を介して光線路器具３に配線される。
【００１１】
図２、図３に示すように、光線路器具３は四角箱形のシャーシ１１を備え、シャーシ１１の前端部の取付片１２がネジ１３でマウントアングル５に取り付けられている。シャーシ１１の前面には左右二枚の扉１４が設けられ、扉１４に光コード１５を接続する複数のアダプタ１６が縦横に配列され、アダプタ１６の下側にコード受け１７が前方へ折り曲げられている。シャーシ１１の内側には光コード１５の余長１５ａ（図５参照）を収容する余長収容室１８が形成され、その前端に扉１４の閉止部材１９が設けられている。余長収容室１８の左右両側面は側壁２０で覆われ、側壁２０に光コード１５を通す開口部２１が掛止部材６と略同じ高さに形成されている。
【００１２】
図４、図５に示すように、シャーシ１１の上面には余長収容室１８を覆う天板２２が設けられている。天板２２の前端縁には規制壁２３が上方へ起立するように折り曲げられ、、規制壁２３の背後において天板２２の上に光コード１５の別の余長１５ｂ（図４参照）を収納する余長収納部２４が設けられている。そして、天板２２の適宜個所に係止部としての一対複数組のバンド挿通孔２５（図５参照）が形成され、各挿通孔２５に通した結束バンド２６により余長収納部２４の光コード１５を結束して天板２２上に保持できるように構成されている。なお、シャーシ１１の底板２７と扉１４のコード受け１７には光コード１５を束ねるテープ等の結束部材２８，２９が設けられている。
【００１３】
上記構成の光線路器具３によれば、次のような効果を期待できる。
（ａ）光コード１５の余長１５ａをシャーシ１１内側の余長収容室１８に収容できるとともに、別の余長１５ｂを天板２２上の余長収納部２４に収納することができる。
（ｂ）一つの光線路器具３において、多数本の光コード１５を余長収容室１８と余長収納部２４とに区別して整然と収納でき、特に、大容量の光配線盤１において、光コード１５の配線作業を容易に行うことができる。
（ｃ）限られた容積のシャーシ１１に全体として大きな余長収容スペースを確保できるため、光線路器具３の左右に位置する配線スペース４を相対的に小さくし、光配線盤１のラック２を小型に構成することができる。
（ｄ）ラック２の内側に棚板や容器等を別途に追加する必要がなくなるので、光配線盤１を少数の部品で簡単に構成することができる。
（ｅ）複数のシャーシ１１を所定のピッチでマウントアングル５に取り付けるだけで、隣接する光線路器具３の間に余長収納部２４が形成されるので、別部品を追加する場合と比較し組立工数が少なくなり、光配線盤１を容易に製作することができる。
【００１４】
本発明は上記実施形態に限定されるものではなく、例えば、光コードの本数に応じて光線路器具３の設置台数を増減したり、光線路器具３をラック２の内側に前後方向へスライド可能に設置したりするなど、本発明の趣旨を逸脱しない範囲で、各部の構成を適宜に変更して実施することも可能である。
【図面の簡単な説明】
【００１５】
【図１】本発明の一実施形態を示す光配線盤の正面図である。
【図２】該配線盤の上端部分を拡大して示す正面図である。
【図３】図２のＡ−Ａ線に沿う立面図である。
【図４】図２のＢ−Ｂ線に沿う立面図である。
【図５】図２のＣ−Ｃ線に沿う平面図である。
【図６】従来の光線路器具を示す光配線盤の平面図である。
【符号の説明】
【００１６】
１    光配線盤
３    光線路器具
１１    シャーシ
１５    光コード
１６    アダプタ
１８    余長収容室
２２    天板
２３    規制壁
２４    余長収納部
２５    バンド挿通孔
【図１】
2008197596.tif 000003
【図２】
2008197596.tif 000004
【図３】
2008197596.tif 000005
【図４】
2008197596.tif 000006
【図５】
2008197596.tif 000007
【図６】
2008197596.tif 000008